(57)【要約】【課題】センサによる検出結果の通知をより効率よく行うことができるようにする。【解決手段】発電発光タイル１０のDSSC１１２は、太陽光等の、カバー層１１１を透過する透過光により発電を行う。DSSC１２の発電により得られた電力は、DSSC１１２の下側に設けられた蓄電部１１４に蓄電される。DSSC１１２の下側に設けられるLED１１３は、蓄電部１１４に蓄電された電力を用いてDSSC１１２の下で発光する。回路１１５は、DSSC１１２の起電力を監視し、その起電力の低減を感知するとLED１１３を発光させる。LED１１３が発光することにより、歩行者（人）の存在が、周囲に通知される。本発明は、例えば、発電発光装置に適用することができる。【選択図】図３
2012022948.tif 000002
【特許請求の範囲】
【請求項１】
光エネルギーを電気エネルギーに変換するとともに、入射光を透過する光発電手段と、
前記光発電手段により発電された電力を蓄電する蓄電手段と、
前記発電手段の発電により得られる電圧を監視し、前記発電手段が遮光されることにより発生する前記電圧の降下を検出する検出手段と、
前記光発電手段の下側に設けられ、前記検出手段により前記電圧の降下が検出された場合、発光する発光手段と
を備える発電発光装置。
【請求項２】
前記光発電手段に並列に接続され、前記光発電手段の発電により得られる小容量の電力を蓄電する小容量蓄電手段をさらに備える
請求項１に記載の発電発光装置。
【請求項３】
前記発光手段は、所定の時間発光し、消灯する
請求項１に記載の発電発光装置。
【請求項４】
前記発光手段は、所定の時間発光し、徐々に消灯する
請求項１に記載の発電発光装置。
【請求項５】
前記検出手段は、複数の前記光発電手段の発電により得られる電圧を監視し、各前記光発電手段について前記電圧の降下を検出する
請求項１に記載の発電発光装置。
【請求項６】
複数の前記発光手段による発光をそれぞれ制御し、前記検出手段により前記電圧の降下が検出された前記光発電手段と異なる位置の前記発光手段を発光させる制御手段をさらに備える
請求項５に記載の発電発光装置。
【請求項７】
前記検出手段による前記電圧の降下の検出の履歴を記憶する記憶手段をさらに有し、
前記制御手段は、前記検出手段により前記電圧の降下が検出された前記光発電手段の位置、および、前記記憶手段により記憶される、過去に前記検出手段により前記電圧の降下が検出された前記光発電手段の位置に基づいて、将来、前記電圧の効果が検出される位置を予測し、予測した前記位置の前記発光手段を発光させる
請求項６に記載の発電発光装置。
【請求項８】
前記光発電手段の端子が、ファスナの務歯状に形成され、スライダを用いて他の光発電手段と直列または並列に接続可能とされる
請求項１に記載の発電発光装置。
【請求項９】
前記光発電手段の端子が、球状の凹凸状に形成され、嵌合により他の光発電手段と直列または並列に接続可能とされる
請求項１に記載の発電発光装置。
【請求項１０】
他の装置と通信可能な通信手段をさらに備える
請求項１に記載の発電発光装置。
【請求項１１】
発電発光装置の発電発光処理において、
光発電手段が、光エネルギーを電気エネルギーに変換するとともに、入射光を透過し、
蓄電手段が、発電された電力を蓄電し、
検出手段が、発電により得られる電圧を監視し、遮光されることにより発生する前記電圧の降下を検出し、
発光手段が、前記光発電手段の下側に設けられ、前記電圧の降下が検出された場合、発光する
発電発光方法。
【発明の詳細な説明】
【技術分野】
【０００１】
本発明は、発電発光装置および方法に関し、特に、センサによる検出結果の通知をより効率よく行うことができるようにした発電発光装置および方法に関する。
【背景技術】
【０００２】
従来、太陽光発電パネル等を用いて発電を行い、その発電により得られた電力で動作する電子機器が存在する。
【０００３】
例えば、太陽電池で充電し、夜間に発光する道路鋲が考えられた（例えば、特許文献１参照）。
【先行技術文献】
【特許文献】
【０００４】
【特許文献１】特開２０００−３４５５２２号公報
【発明の概要】
【発明が解決しようとする課題】
【０００５】
しかしながら、特許文献１に記載の道路鋲は、交差点や道路における注意を運転者や歩行者へ喚起するものであり、歩行者の存在を検出し、その検出結果を運転者や他の人へ知らせるという通知機能はなかった。
【０００６】
また、特許文献１に記載の道路鋲は、太陽電池の部分が表面の大半を占め、発光部が小さかった。そのため通知性能が極めて低く、センサによる検出結果の通知に用いる等、多様な用途に適用することが困難であった。
【０００７】
本発明は、このような状況に鑑みてなされたものであり、例えばより多様な用途に適用する事ができるように、センサによる検出結果の通知をより効率よく行うことを目的とする。
【課題を解決するための手段】
【０００８】
本発明の一側面は、光エネルギーを電気エネルギーに変換するとともに、入射光を透過する光発電手段と、前記光発電手段により発電された電力を蓄電する蓄電手段と、前記発電手段の発電により得られる電圧を監視し、前記発電手段が遮光されることにより発生する前記電圧の降下を検出する検出手段と、前記光発電手段の下側に設けられ、前記検出手段により前記電圧の降下が検出された場合、発光する発光手段とを備える発電発光装置である。
【０００９】
前記光発電手段に並列に接続され、前記光発電手段の発電により得られる小容量の電力を蓄電する小容量蓄電手段をさらに備えることができる。
【００１０】
前記発光手段は、所定の時間発光し、消灯することができる。
【００１１】
前記発光手段は、所定の時間発光し、徐々に消灯することができる。
【００１２】
前記検出手段は、複数の前記光発電手段の発電により得られる電圧を監視し、各前記光発電手段について前記電圧の降下を検出することができる。
【００１３】
複数の前記発光手段による発光をそれぞれ制御し、前記検出手段により前記電圧の降下が検出された前記光発電手段と異なる位置の前記発光手段を発光させる制御手段をさらに備えることができる。
【００１４】
前記検出手段による前記電圧の降下の検出の履歴を記憶する記憶手段をさらに有し、前記制御手段は、前記検出手段により前記電圧の降下が検出された前記光発電手段の位置、および、前記記憶手段により記憶される、過去に前記検出手段により前記電圧の降下が検出された前記光発電手段の位置に基づいて、将来、前記電圧の効果が検出される位置を予測し、予測した前記位置の前記発光手段を発光させることができる。
【００１５】
前記光発電手段の端子が、ファスナの務歯状に形成され、スライダを用いて他の光発電手段と直列または並列に接続可能とされることができる。
【００１６】
前記光発電手段の端子が、球状の凹凸状に形成され、嵌合により他の光発電手段と直列または並列に接続可能とされることができる。
【００１７】
他の装置と通信可能な通信手段をさらに備えることができる。
【００１８】
本発明の一側面は、また、発電発光装置の発電発光方法であって、光発電手段が、光エネルギーを電気エネルギーに変換するとともに、入射光を透過し、蓄電手段が、発電された電力を蓄電し、検出手段が、発電により得られる電圧を監視し、遮光されることにより発生する前記電圧の降下を検出し、発光手段が、前記光発電手段の下側に設けられ、前記電圧の降下が検出された場合、発光する発電発光方法である。
【００１９】
本発明の一側面においては、光エネルギーが電気エネルギーに変換されるとともに、入射光が透過され、発電された電力が蓄電され、発電により得られる電圧が監視され、遮光されることにより発生する前記電圧の降下が検出され、前記電圧の降下が検出された場合、光発電手段の下側で発光される。
【発明の効果】
【００２０】
本発明によれば、発電や発光を行うことができる。特に、センサによる検出結果の通知をより効率よく行うことができる。
【図面の簡単な説明】
【００２１】
【図１】シリコン系太陽電池を用いた発電発光タイルの断面図である。
【図２】シリコン系太陽電池を用いた発電発光タイルの上面図である。
【図３】本発明を適用した発電発光タイルの断面図である。
【図４】本発明を適用した発電発光タイルの上面図である。
【図５】色素増感型太陽電池の主な構成例を示す断面図である。
【図６】本発明を適用した発電発光タイルの主な構成例を示すブロック図である。
【図７】コンデンサについて説明する図である。
【図８】本発明を適用した発電発光タイルの利用例を説明する図である。
【図９】発光制御の例を説明する図である。
【図１０】歩行者通知処理の流れの例を説明するフローチャートである。
【図１１】本発明を適用した発電発光タイルの利用例を説明する図である。
【図１２】本発明を適用した発電発光タイルの利用例を説明する図である。
【図１３】本発明を適用した発電発光タイルユニットの構成例を示すブロック図である。
【図１４】本発明を適用した発電発光システムの構成例を示すブロック図である。
【図１５】歩行者通知処理の流れの例を説明するフローチャートである。
【図１６】歩行者予測通知処理の流れの例を説明するフローチャートである。
【図１７】本発明を適用した発電発光タイルの他の構成例を示すブロック図である。
【図１８】本発明を適用した発電発光タイルユニットの他の構成例を示す図である。
【図１９】発電発光タイルユニットの連結方法の例を示す図である。
【図２０】発電発光タイルユニットの連結方法の例を示す図である。
【図２１】発電発光タイルユニットの直列接続の例を示す図である。
【図２２】発電発光タイルユニットの並列接続の例を示す図である。
【図２３】発電発光タイルユニットの直列並列併用接続の例を示す図である。
【図２４】本発明を適用した発電発光システムの他の構成例を示すブロック図である。
【図２５】発電発光タイルユニットの主な構成例を示すブロック図である。
【図２６】通信デバイスの主な構成例を示すブロック図である。
【図２７】移動経路案内サーバの主な構成例を示すブロック図である。
【図２８】移動経路案内の様子の例を説明する図である。
【図２９】移動経路案内処理の流れの例を説明するフローチャートである。
【発明を実施するための形態】
【００２２】
以下、発明を実施するための形態（以下実施の形態とする）について説明する。なお、説明は以下の順序で行う。
１．第１の実施の形態（発電発光タイル）
２．第２の実施の形態（発電発光システム）
３．第３の実施の形態（発電発光システム）
【００２３】
＜１．第１の実施の形態＞
［シリコン系太陽電池を用いた発電発光タイル］
図１は、シリコン系太陽電池を用いた発電発光タイルの構成を説明するための断面図である。図１に示される発電発光タイル１は、例えば、道路等に設置され、歩行者（人）が発電発光タイル１上に位置すると、発光して人が存在することを周囲の人や車両に通知する装置である。
【００２４】
図１に示されるように、発電発光タイル１は、上面となる透明のカバー層１１の下にアモルファスシリコン等を用いた、所謂、シリコン系太陽電池（SC１２−１乃至SC１２−３）が設けられている。以下において、SC１２−１乃至SC１２−３を互いに区別して説明する必要が無い場合、単にSC１２と称する。SC１２は、太陽光等の、カバー層１１を透過する透過光により発電を行う。つまり、SC１２は、カバー層１１の透過光を電気エネルギー（電力）に変換する。SC１２の発電により得られた電力は、SC１２の下側に設けられた蓄電部１４に蓄電される。
【００２５】
カバー層１１の下側には、各SC１２と並べられて、LED（Light Emitting Diode）１３−１乃至LED１３−４が設けられている。以下において、LED１３−１乃至LED１３−４を互いに区別して説明する必要が無い場合、単に、LED１３と称する。LED１３は、蓄電部１４に蓄電された電力を用いて発光する。LED１３から出力された出力光は、カバー層１１を透過して発電発光タイル１の周囲に放出される。つまり、LED１３は、発電発光タイル１の外部への通知機能として動作する。
【００２６】
蓄電部１４の下には、発電発光タイル１の動作の制御等を行う電子回路（回路１５）が設けられている。
【００２７】
発電発光タイル１のカバー層１１の上に歩行者（人）の足が位置すると、その足の影となり、SC１２へ届く光量が低減する。したがってSC１２の発電における起電力が低減する。回路１５は、SC１２の起電力を監視し、その起電力の低減を感知するとLED１３を発光させる。LED１３が発光することにより、歩行者（人）の存在が、周囲に通知される。
【００２８】
このように発電発光タイル１は、外部からの電力供給を必要とせずに、センサによる検出結果の通知を行うことができる。したがって、発電発光タイル１は、より低コストに歩行者の存在の通知を行うことができる。
【００２９】
図２は、この発電発光タイル１を上面からみた上面図である。図２に示されるように、発電発光タイル１には、SC１２−１乃至SC１２−３、並びに、LED１３−１乃至LED１３−４が並べて配置される。
【００３０】
このように発電発光タイル１は、特許文献１に記載の道路鋲に比べて、発光部（LED１３）をより大きくとることができ、通知性能を向上させることができる。つまり、発電発光タイル１は、より効率よく通知を行うことが出来るので、より多様な用途に適用する事ができる。
【００３１】
［DSSCを用いた発電発光タイル］
図３は、本発明を適用した発電発光タイルの構成を説明するための断面図である。図３に示される発電発光タイル１００は、図１の発電発光タイル１と同様の装置であり、例えば、道路等に設置され、歩行者（人）が発電発光タイル１００上に位置すると、発光して人が存在することを周囲の人や車両に通知する。
【００３２】
図３に示されるように、発電発光タイル１００は、上面となる透明のカバー層１１１の下に色素増感型太陽電池（DSSC（Dye Sensitized Solar Cell）１１２−１乃至DSSC１１２−３）が設けられている。以下において、DSSC１２−１乃至DSSC１２−３を互いに区別して説明する必要が無い場合、単にDSSC１１２と称する。
【００３３】
DSSC１１２は、太陽光等の、カバー層１１１を透過する透過光により発電を行う。つまり、DSSC１１２は、カバー層１１１の透過光を電気エネルギー（電力）に変換する。DSSC１２の発電により得られた電力は、DSSC１１２の下側に設けられた蓄電部１１４に蓄電される。
【００３４】
DSSC１１２は、増感色素を担持させたチタニア多孔質電極と対極との間に電解液を介在させた構造を有し、有機色素を用いて光起電力を得る太陽電池であり、光を透過させることができる。そのため、図３に示されるように、LED１１３−１乃至LED１１３−３は、DSSC１１２−１乃至DSSC１１２−３の下側に設けられる。以下において、LED１１３を互いに区別して説明する必要が無い場合、単にLED１１３と称する。
【００３５】
LED１１３は、蓄電部１１４に蓄電された電力を用いてDSSC１１２の下で発光する。LED１１３から出力された出力光は、DSSC１１２とカバー層１１１を透過して発電発光タイル１００の周囲に放出される。つまり、LED１１３は、発電発光タイル１００の外部への通知機能として動作する。
【００３６】
蓄電部１１４の下には、発電発光タイル１００の動作の制御等を行う電子回路（回路１１５）が設けられている。
【００３７】
発電発光タイル１００のカバー層１１１の上に歩行者（人）の足が位置すると、その足の影となり、DSSC１１２へ届く光量が低減する。したがってDSSC１１２の発電における起電力が低減する。回路１１５は、DSSC１１２の起電力を監視し、その起電力の低減を感知するとLED１１３を発光させる。LED１１３が発光することにより、歩行者（人）の存在が、周囲に通知される。
【００３８】
なお、発電発光タイル１００には、カバー層１１１の上にかかる圧力を検出する感圧センサ１１６が設けられている。つまり、感圧センサ１１６は、歩行者（人）の足がカバー層１１１を踏んだことを感知する。回路１１５は、感圧センサ１１６によりカバー層１１１の上に歩行者（人）の足が検出されると、LED１１３を発光させ、歩行者（人）の存在を、周囲に通知させる。
【００３９】
例えば、夜間のように暗い環境下においては、DSSC１１２による検出が困難になる。そこで、そのような場合、回路１１５は、歩行者（人）の検出を、感圧センサ１１６により行うようにする。このようにすることにより、発電発光タイル１００は、夜間においても歩行者（人）の存在を検出し、通知することができる。もちろん、DSSC１１２による検出と、感圧センサ１１６による検出を併用するようにしてもよい。
【００４０】
なお、発電発光タイル１００のカバー層１１１の上面には、LED１１３の発光を妨げないような位置に、歩行者（人）がカバー層１１１の上面において滑らないように滑り止め１１７−１乃至滑り止め１１７−４が設けられている。以下において滑り止め１１７−１乃至滑り止め１１７−４を互いに区別して説明する必要が無い場合、単に滑り止め１１７と称する。
【００４１】
このように発電発光タイル１００は、外部からの電力供給を必要とせずに、センサによる検出結果の通知を行うことができる。したがって、発電発光タイル１００は、より低コストに歩行者の存在の通知を行うことができる。
【００４２】
図４は、この発電発光タイル１００を上面からみた上面図である。上述したように、発電発光タイル１００の場合、LED１１３は、全てDSSC１１２の下に設けられている。つまり、図４においてDSSC１１２の部分が全て発光部となる。
【００４３】
このように発電発光タイル１００は、発電発光タイル１よりも発光部（LED１３）をより大きくとることができ、通知性能を向上させることができる。つまり、発電発光タイル１００は、より効率よく通知を行うことが出来るので、より多様な用途に適用する事ができる。
【００４４】
［DSSC］
図５は、図３のDSSC１１２の構成例を説明するための断面図である。図５に示されるようにDSSC１１２は、上側のガラス基板１１１と下側のガラス基板１２３の間に、TiO2電極１２１、半導体極の導電性透明電極である白金電極（Pt）１２２、および、レドックス種を含むイオン液体や有機溶媒をはじめとする電解層等が設けられる
【００４５】
TiO2電極１２１は、基本的には、20-30nm程度のTiO2粒子が用いられた透明性の高い電極である。例えば200-400nm程度の粒子を用いて、光を拡散させたり、遮断したりする。例えば、透明性の高い電極は、20-30nm粒子を4-8um程度で形成する。また、例えば、拡散性を付与してパネル自体が光るようにする（すりガラスのような構造を形成する）ためには、20-30nm粒子：200-400nm粒子＝8：2を4-8um程度で形成する。さらに例えば、光を遮断する場合は、200-400nm粒子を4um以上形成する。
【００４６】
また、その対極として、白金をアイランド上にFTO上に形成させる（Pt１２２）。方法は、スパッタ、蒸着等のドライ成膜および白金前駆体溶液を用いたウェット成膜があげられる。例えば、FTO膜上に塩化白金酸のエタノール溶液（Ｈ2 ＰｔＣｌ6 ：ＥｔＯＨ，０．１ｗｔ％）を３０ｍＬスプレーで噴霧した後、電気炉にて４５０℃の温度で３０分間焼成することにより白金微粒子を焼結する。生成した粒子は、数nmから数１０nmのサイズとなる。
【００４７】
以上のように、DSSC１１２は、任意の透過度で、太陽光やLEDからの出射光を透過させるようにすることができる。
【００４８】
［発電発光タイルの構成］
図６は、本発明を適用した発電発光タイル１００の主な電気的構成例を示すブロック図である。
【００４９】
図６の例において、発電発光タイル１００は、４つのDSSC１１２（DSSC１１２−１乃至DSSC１１２−４）が直列に接続されている。このDSSC１１２の接続数は任意である。また、DSSC１１２−１乃至DSSC１１２−４には、それぞれ、コンデンサ１３１−１乃至コンデンサ１３１−４が並列に接続される。換言すれば、これらのコンデンサ１３１−１乃至コンデンサ１３１−４も互いに直列に接続される。以下において、コンデンサ１３１−１乃至コンデンサ１３１−４を互いに区別して説明する必要が無い場合、単にコンデンサ１３１と称する。コンデンサ１３１の数は任意である。
【００５０】
互いに直列に接続されたDSSC１１２の両端には、その両端間の電圧をデジタルデータに変換するAD変換部１３２と、DSSC１１２が発電により生成した電力を蓄電する蓄電部１１４が設けられている。
【００５１】
蓄電部１１４は、任意の２次電池若しくはコンデンサにより構成される。蓄電部１１４に蓄電された電力は、各部の動作に使用される。
【００５２】
発電発光タイル１００は、さらに、感圧センサ１１６、制御部１４０、および出力部１４２を有する。
【００５３】
感圧センサ１１６は、上述したように発電発光タイル１００（カバー層１１１）の上にかかる圧力を検出することにより、発電発光タイル１００（カバー層１１１）の上の、歩行者（人）の足を検出する。なお、感圧センサ１１１の代わりに、振動センサを用いるようにしてもよい。
【００５４】
制御部１４０は、発電発光タイル１００の各部を制御する。出力部１４２は、図３のLED１１３を有する。また、出力部１４２は、例えば、音声メッセージや音楽等の音声情報を出力するスピーカを有するようにしてもよい。
【００５５】
発電発光タイル１００は、さらに、入力部１４１および記憶部１４３を有するようにしてもよい。
【００５６】
入力部１４１は、例えば、キーボード、マウス、ボタン、若しくはタッチパネルなどの任意の入力デバイスや入力端子等よりなり、ユーザや他の装置等の外部からの情報入力を受け付け、入力された情報を制御部１４０に提供する。
【００５７】
記憶部１４３は、例えば、フラッシュメモリ等のSSD（Solid State Drive）やハードディスクなどよりなり、制御部１４０から供給される情報を記憶したり、記憶している情報を制御部１４０に供給したりする。
【００５８】
さらに、発電発光タイル１００には、ドライブ１４５が適宜接続される。ドライブ１４５には、例えば、磁気ディスク、光ディスク、光磁気ディスク、或いは半導体メモリなどのリムーバブルメディア１４６が適宜装着される。例えば、ドライブ１４５は、制御部１４０に制御され、そのリムーバブルメディア１４６からコンピュータプログラムを読み出し、それを記憶部１４３にインストールする。
【００５９】
［コンデンサ］
次に、図６のコンデンサ１３１について説明する。図６のコンデンサ１３１は、DSSC１１２をセンサとして用いるときの感度調整を行うためのものである。
【００６０】
DSSC１１２と並列にコンデンサ１３１を接続することで、DSSC１１２によって発電された電力の一部を蓄えることができる。DSSC１１２が歩行者（人）の足などによって遮光された場合、DSSC１１２の発電電圧が減少する。このときコンデンサ１３１に蓄えられた電力が放電することで、電圧低下を時間的に伸ばすことが可能となる。
【００６１】
例えば、図７Ａに示されるように、DSSC１１２のみの場合の、遮光されてからの電圧降下が曲線１５１のようになるとする。このDSSC１１２にコンデンサ１３１を並列に接続することにより、遮光されてからの電圧降下は、曲線１５２のようになる。つまり、電圧降下が遅延時間τだけ遅延する。
【００６２】
なお、この遅延時間τ［sec］は、Ｃをコンデンサ１３１の容量［Ｆ］とし、ＲをDSSC１１２およびコンデンサ１３１に接続される、配線等の抵抗値とすると、以下の式（１）のように表すことができる。
【００６３】
τ＝ＣＲ  ・・・（１）
【００６４】
このように電圧低下が遅れると、制御部１４０による電圧降下の検出感度が鈍ることになる。つまり、コンデンサ１３１の静電容量等により、DSSC１１２のセンサとしての感度が調整されることになる。
【００６５】
例えば、DSSC１１２が枯葉などによって一時的に光が遮光された場合、DSSC１１２の発電電圧が一時的に減少するが、コンデンサ１３１に蓄えられた電力が放電することで、電圧の一時低下による誤検出を防止することができる。
【００６６】
仮に、コンデンサ１３１が接続されていない場合、例えば、図７Ｂに示されるように、遮光時間τdark ＞ 検出時間τdetの関係式において誤検出が発生する。
【００６７】
これを防止するためには、遮光時間τdark ＜ 検出時間τdet＋遅延時間τとなるようなコンデンサを追加する。
【００６８】
［応用例１］
以上のような発電発光タイル１００は、例えば、図８に示されるように歩行者用道路１６１等に敷き詰め、歩行者（人）の存在を周囲の人や車両の運転者等に通知する安全用表示機として使用することができる。
【００６９】
歩行者１６２が、発電発光タイル１００が敷き詰められた歩行者用道路１６１を歩くと、上述したように歩行者１６２が踏んだ発電発光タイル１００のLED１１３が発光する。歩行者１６２の周囲の人や運転者は、この光により、歩行者１６２の存在をより容易に把握することができる。
【００７０】
特に、夜間や夕方のように、歩行者１６２が見えづらい状態においては、発電発光タイル１００の光が逆に見やすくなり、より有効である。
【００７１】
また、特に、車の交通量が多い、歩道の狭い箇所においては、歩行者１６２の存在を把握できないと危険であるのでより有用である。
【００７２】
なお、DSSC１１２は、多様な色に形成することができるので、例えば、歩道として、違和感のない色調にすることもできる。また、DSSC１１２を用いることにより、発電発光タイル１００の製造コストを低減させることができる。また、発電発光タイル１００は、歩行者１６２に踏まれたときのみ発光するので、常に発光する道路鋲よりも消費電力を低減させることができる。
【００７３】
タイルサイズは、10cm-100cm程度が挙げられる、対象とされる歩行者の歩幅と施工コストによって決めることが望ましい。例えば、成人男性を対象とした場合は、約70cm角以下、成人女性を対象にした場合は、約60cm角以下としてもよい。
【００７４】
一般的には、子供（一人での外出を考えると対象は小学１年生くらい  平均身長110cmでは、平均歩幅は36-50cm程度となる）では、30cm角以下のパネルサイズが好ましい。一方、あまり小さいタイルを用いると、必要タイル数が増えるためコストが高くなる。通常の歩道であれば、30cm角のタイルが望ましい。
【００７５】
なお、歩行者１６２に踏まれたときのLED１１３の発光時間を長くすることにより、歩行者１６２が歩行すると、例えば、図９Ａに示されるように、複数の発電発光タイル１００が同時に発光するので、歩行者１６２の存在をより強く通知することができる（歩行者１６２の存在を認識し易くすることができる）。
【００７６】
図９Ａにおいて、各四角は、歩行者用道路１６１に敷き詰められた発電発光タイル１００を示しており、四角１７１乃至四角１７６は、歩行者１６２に踏まれて発光した状態の発電発光タイル１００を示している。
【００７７】
この発光時間は、残したい軌跡の長さによって規定される。軌跡の長さは、1-10m程度が挙げられるが、あまり短いと、他者からの視認性が悪くなる。また、長すぎると、常に発光された状態となり、歩行者の存在の喚起性が弱くなる。好適には、3-5m程度である。例えば、最高速度や横断歩道を示す道路標示は、長さ５ｍとされており、車からの視認性が高い長さと考えられる。
【００７８】
日本人の平均歩行速度は、4km/h, 1.1m/sといわれているため、約５秒点灯させるようにしてもよい。また、歩行者の進行方向を分かりやすくするため、例えば、図９Ｂに示されるように、発光は時間とともに減衰するようにしてもよい。
【００７９】
図９Ｂにおいて、各四角は、歩行者用道路１６１に敷き詰められた発電発光タイル１００を示しており、四角１８１乃至四角１８８は、歩行者１６２に踏まれて点灯した発電発光タイル１００が徐々に消灯していく様子を示している。歩行者１６２が歩いている場合、歩行者１６２の現在位置から離れた発電発光タイル１００ほど暗くなり、最後に消灯する。
【００８０】
このとき、発電発光タイル１００が、例えば、点灯してから所定時間かけて減衰するようにしてもよいし、点灯して所定時間経過後、徐々に減衰し、消灯するようにしてもよい。
【００８１】
［歩行者通知処理の流れ］
このような歩行者１６２の通知を行うために制御部１４０により実行される歩行者通知処理の流れの例を、図１０のフローチャートを参照して説明する。
【００８２】
歩行者通知処理が開始されると、制御部１４０は、ステップＳ１０１において、DSSC１１２の電圧や感圧センサ１１６の出力等のセンサ出力を取得する。ステップＳ１０２において、制御部１４０は、取得したセンサ出力に基づいて、歩行者１６２の足を検出したか否か（歩行者１６２に踏まれたか否か）を判定する。足を検出したと判定された場合、制御部１４０は、処理をステップＳ１０３に進める。
【００８３】
ステップＳ１０３において、制御部１４０は、出力部１４２を制御し、LED１１３を所定時間発光させる。所定時間経過後、さらに、ステップＳ１０４において、制御部１４０は、出力部１４２を制御し、LED１１３を徐々に消灯させ、処理をステップＳ１０５に進める。
【００８４】
また、ステップＳ１０２において、足を検出していない（踏まれていない）と判定された場合、制御部１４０は、処理をステップＳ１０５に進める。ステップＳ１０５において、制御部１４０は、歩行者通知処理を終了するか否かを判定し、終了しないと判定された場合、処理をステップＳ１０１に戻し、それ以降の処理を繰り返す。
【００８５】
また、ステップＳ１０５において、歩行者通知処理を終了すると判定された場合、制御部１４０は、歩行者通知処理を終了する。
【００８６】
以上のようにすることにより、発電発光タイル１００は、LED１１３の発光量により、歩行者１６２の存在だけでなく、歩行者１６２の進行方向も通知することができる。
【００８７】
［応用例２］
同様の方法で、例えば、図１１に示されるように、発電発光タイル１００を防犯用器具として使用することができる。図１１の例においては、私有地の門扉１９０から家１９４までの飛び石１９１や玄関敷石１９２として発電発光タイル１００が設置されている。
【００８８】
訪問者が門扉１９０から家１９４の玄関に向かうために、この飛び石１９１や玄関敷石１９２を踏むと、それら（発電発光タイル１００）が上述したように発光する。この発光により、家１９４の住人は、訪問者若しくは私有地への侵入者の存在をより容易に把握することができる。
【００８９】
上述した歩行者用道路の場合と同様に、LED１１３の発光時間を長くすることにより、訪問者若しくは私有地への侵入者がより目立つようにすることができる。
【００９０】
［応用例３］
同様の方法で、例えば、発電発光タイル１００を、娯楽性を高める器具として使用することができる。例えば、図１２Ａに示されるように、発電発光タイル１００を歩道橋１９５の階段等に敷き詰め、歩行者が踏むと出力部１４２のLED１１３が発光するとともに、出力部１４２のスピーカから音声が出力されるようにしてもよい。
【００９１】
例えば、図１２Ｂに示されるように、歩道橋１９５の階段の各段の発電発光タイル１００から互いに異なる音程の音が出力されるようにし、各段をピアノの鍵盤のようにすることもできる。
【００９２】
この場合、発電発光タイル１００の発光は、歩行者がどの鍵盤を踏んでいるか（鳴らしているか）を示すものとして利用されるので、発光してから短時間で消灯させるのが望ましい。
【００９３】
また、例えば、図１２Ｃに示されるように、発電発光タイル１００が点灯してから消灯するまでの時間を長くし、歩行者がどの段まで上ったか（あるいは降りたか）を示すようにしてもよい。
【００９４】
このように発電発光タイル１００を敷き詰めることにより、歩行者通路（若しくは階段等）に、音や光等で娯楽性を持たせることができる。つまり、これにより、歩行者の興味を誘い、発電発光タイル１００が敷き詰められた部分を歩きたいと思わせるようにすることができる。したがって、歩いてもらいたい経路に発電発光タイル１００を敷き詰め、このように娯楽性を持たせることにより、歩行者を暗にその経路に誘導することができる。例えば、車道を横断したい歩行者に、歩道橋１９５を使用するように促すことができる。
【００９５】
＜２．第２の実施の形態＞
［発電発光タイルユニット］
なお、以上のような発電発光タイルにおいて、１つの制御部が制御するDSSCやLEDは複数であってもよく、また、それらを互いに独立して動作させるようにすることもできる。
【００９６】
例えば、DSSC１１２とLED１１３を用いて発電発光タイルユニットを形成し、１つの制御部で、複数のこのような発電発光タイルユニットの個々の検出や発光を制御するようにしてもよい。
【００９７】
図１３に示される発電発光タイルユニット２００は、DSSC１１２、LED１１３、および蓄電部１１４を１つずつ有し、さらに、制御スイッチ２０１および抵抗２０２を有する。DSSC１１２には、DSSC１１２において発電された電力を蓄える蓄電部１１４が並列に接続される。さらにDSSC１１２の正負両端子間には、制御スイッチ２０１、抵抗２０２、およびLED２０３が直列に接続される。
【００９８】
制御スイッチ２０１は、発電発光タイルユニット２００の外部の制御部に制御され、発光素子であるLED１１３の発光（点灯および消灯）を制御する。抵抗２０２は、各部に流れる電流を制限するためのものである。
【００９９】
例えば、DSSC１１２が十分に発電している間は、制御スイッチ２０１が解放され、DSSC１１２において得られた電力は蓄電部１１４に蓄電される。例えば人の足などで影になり、DSSC１１２の電圧が降下すると、制御スイッチ２０１が短絡され、蓄電部１１４の電力がLED１１３に供給され、LED１１３が発光（点灯）する。
【０１００】
なお、上述した発電発光タイル１００の場合と同様に、感圧センサ１１６や振動センサ等、歩行者の足を検出するための他のセンサを設けるようにしてもよい。
【０１０１】
図１４に示される発電発光システム２１０は、このような発電発光タイルユニット２００を複数制御するシステムである。
【０１０２】
図１４に示される発電発光システム２１０は、４つの発電発光タイルユニット２００（発電発光タイルユニット２００−１乃至発電発光タイルユニット２００−４）を有する。発電発光タイルユニット２００−１乃至発電発光タイルユニット２００−４は、制御部２２０により制御される。
【０１０３】
例えば、発電発光タイルユニット２００−１のDSSC１１２−１、発電発光タイルユニット２００−２のDSSC１１２−２、発電発光タイルユニット２００−３のDSSC１１２−３、の発電の電圧、並びに、発電発光タイルユニット２００−４のDSSC１１２−４は、制御部２２０により監視される。
【０１０４】
また、発電発光タイルユニット２００−１の制御スイッチ２０１−１、発電発光タイルユニット２００−２の制御スイッチ２０１−２、発電発光タイルユニット２００−３の制御スイッチ２０１−３、並びに、発電発光タイルユニット２００−４の制御スイッチ２０１−４の短絡・解放は、それぞれ、制御部２２０に制御される。
【０１０５】
制御部２２０は、各DSSC１１２の発電電圧を監視し、各LED１１３を自由に発光させることができる。
【０１０６】
発電発光システム２１０は、適宜、入力部２２１、出力部２２２、および記憶部２２３を有する。
【０１０７】
入力部２２１は、例えば、キーボード、マウス、ボタン、若しくはタッチパネルなどの任意の入力デバイスや入力端子等よりなり、ユーザや他の装置等の外部からの情報入力を受け付け、入力された情報を制御部２２０に提供する。
【０１０８】
出力部２２２は、CRT（Cathode Ray Tube）ディスプレイ、LCD（Liquid Crystal Display）等のディスプレイ、スピーカ、若しくは出力端子などよりなり、制御部２２０から供給される情報を画像や音声としてユーザに提供したり、所定の信号として他の装置に出力したりする。
【０１０９】
記憶部２２３は、例えば、フラッシュメモリ等のSSD（Solid State Drive）やハードディスクなどよりなり、制御部２２０から供給される情報を記憶したり、記憶している情報を制御部２２０に供給したりする。
【０１１０】
さらに、発電発光システム２１０には、ドライブ２２５が適宜接続される。ドライブ２２５には、例えば、磁気ディスク、光ディスク、光磁気ディスク、或いは半導体メモリなどのリムーバブルメディア２２６が適宜装着される。例えば、ドライブ２２５は、制御部２２０に制御され、そのリムーバブルメディア２２６からコンピュータプログラムを読み出し、それを記憶部２２３にインストールする。
【０１１１】
制御部２２０は、電圧低下を検出したDSSC１１２（足等が検出されたDSSC１１２）に対して、任意のLED１１３（足等が検出されたDSSC１１２の発電発光タイルユニット２００以外の発電発光タイルユニット２００のLED１１３を含む）を発光させることができる。
【０１１２】
例えば、歩行者（人）に踏まれた発電発光タイルユニット２００と異なる発電発光タイルユニット２００のLED１１３を点灯させることもできる。
【０１１３】
［歩行者通知処理の流れ］
その場合の歩行者通知処理の流れの例を図１５のフローチャートを参照して説明する。
【０１１４】
歩行者通知処理が開始されると、制御部２２０は、ステップＳ２０１において、各DSSC１１２の電圧等のセンサ出力を取得する。ステップＳ２０２において、制御部２２０は、取得したセンサ出力に基づいて、歩行者（人）の足を検出したか否か（歩行者に踏まれたか否か）を判定する。足を検出したと判定された場合、制御部２２０は、処理をステップＳ２０３に進める。
【０１１５】
ステップＳ２０３において、制御部２２０は、足の検出位置（足を検出した発電発光タイルユニット２００）とは異なる、その検出位置に対応する位置（発電発光タイルユニット２００）のLED１１３を所定時間発光させる。所定時間経過後、さらに、ステップＳ２０４において、制御部２２０は、そのLED１１３を徐々に消灯させ、処理をステップＳ２０５に進める。
【０１１６】
また、ステップＳ２０２において、足を検出していない（踏まれていない）と判定された場合、制御部２２０は、処理をステップＳ２０５に進める。ステップＳ２０５において、制御部２２０は、歩行者通知処理を終了するか否かを判定し、終了しないと判定された場合、処理をステップＳ２０１に戻し、それ以降の処理を繰り返す。
【０１１７】
また、ステップＳ２０５において、歩行者通知処理を終了すると判定された場合、制御部２２０は、歩行者通知処理を終了する。
【０１１８】
以上のようにすることにより、発電発光システム２１０の制御部２２０は、例えば、歩行者に踏まれている発電発光タイルユニット２００の周辺の発電発光タイルユニット２００を発光させることができる。このようにすることにより、歩行者に踏まれ、その足によって隠ぺいされている部分を発光させるよりも、歩行者の足の影にならない周辺を発光させることができ、歩行者の存在をより強く周囲に通知することができる（周囲の人間がその歩行者に気づき易くなる）。
【０１１９】
また、制御部２２０が、歩行者の現在の検出結果と過去の検出結果とから、歩行者の進行方向を予測し、将来歩行者に踏まれると予測される発電発光タイルユニット２００のLEDを点灯させるようにしてもよい。
【０１２０】
その場合の歩行者予測通知処理の流れの例を図１６のフローチャートを参照して説明する。
【０１２１】
歩行者予測通知処理が開始されると、制御部２２０は、ステップＳ２２１において、各DSSC１１２の電圧等のセンサ出力を取得する。ステップＳ２２２において、制御部２２０は、取得したセンサ出力に基づいて、歩行者（人）の足を検出したか否か（歩行者に踏まれたか否か）を判定する。足を検出したと判定された場合、制御部２２０は、処理をステップＳ２２３に進める。
【０１２２】
ステップＳ２２３において、制御部２２０は、今回足が検出された位置（踏まれた発電発光タイルユニット２００）と、記憶部２２３等に保持させていた過去に検出された位置の履歴情報に基づいて、将来の検出位置（例えば次に踏まれる発電発光タイルユニット２００）を予測する。
【０１２３】
例えば、過去の検出位置と今回の検出位置が直線で結ばれる場合、将来の検出位置は、その直線上の、今回の検出位置からみて過去の検出位置とは逆向きに、今回の検出位置と過去の検出位置との距離だけ、今回の検出位置から離れた位置であると予測することができる。
【０１２４】
ステップＳ２２４において、制御部２２０は、予測した将来の検出位置のLED１１３を所定時間発光させる。
【０１２５】
ステップＳ２２５において、制御部２２０は、今回検出された位置を、例えば記憶部２２３に履歴として記憶し、処理をステップＳ２２６に進める。
【０１２６】
また、ステップＳ２２２において、足を検出していない（踏まれていない）と判定された場合、制御部２２０は、処理をステップＳ２２６に進める。ステップＳ２２６において、制御部２２０は、歩行者予測通知処理を終了するか否かを判定し、終了しないと判定された場合、処理をステップＳ２２１に戻し、それ以降の処理を繰り返す。
【０１２７】
また、ステップＳ２２６において、歩行者予測通知処理を終了すると判定された場合、制御部２２０は、歩行者予測通知処理を終了する。
【０１２８】
［遮光物判定］
以上のようにすることにより、発電発光システム２１０の制御部２２０は、例えば、歩行者が踏みそうな発電発光タイルユニット２００を、歩行者が踏むよりも先に点灯させることができる。このようにすることにより、例えば、娯楽性を向上させたり、案内表示を行ったりすることができる。
【０１２９】
なお、以上においては、制御部２２０が、各発電発光タイルユニット２００を個別に制御するように説明したが、これに限らず、例えば、図１７Ａに示されるように、各発電発光タイルユニット２００を互いに直列に接続した状態で制御するようにしてもよい。
【０１３０】
この場合、制御部２２０は、各DSSC１１２が直列に接続され、その両端の電圧、すなわち、各DSSC１１２により発電される電圧の合計値を監視する。
【０１３１】
例えば、図１７Ｂに示されるように、発電発光タイルユニット２００の上に歩行者の足２２１が乗ると、その足２２１によりDSSC１１２が遮光され、そのDSSC１１２による発電の電圧が降下する。
【０１３２】
図１７Ｃに示される電流−電圧特性（I-V特性）の曲線２３１乃至曲線２３５のように、この電圧の合計値は、影になるDSSC１１２の数（若しくは面積）に応じて変化する。例えば、４つのDSSC１１２が発電しているときのI-V特性が曲線２３１であるとすると、遮光されるDSSC１１２が１つずつ増えるごとに、I-V特性は、曲線２３２、曲線２３３、曲線２３４、曲線２３５のように変化する。
【０１３３】
したがって、電圧降下量を監視することにより、制御部２２０は、DSSC１１２がいくつ遮光されたかを判別することができる。制御部２２０は、この大きさによって遮光しているものが足であるか否かを判別し、足であると判定された場合のみLED１１３を発光させるようにしてもよい。
【０１３４】
［発電発光タイルユニット連結方法］
上述した発電発光タイルを複数連結させる方法について説明する。
【０１３５】
例えば、図１８に示されるように、正方形若しくは長方形の発電発光タイルユニット２５０の４辺に、正の電極（＋）と負の電極（−）を２辺ずつ、互いに対向するように設ける。
【０１３６】
図１８の例の場合、発電発光タイルユニット２５０の、正の電極２５１と負の電極２５３とが互いに対向する辺に設けられ、正の電極２５２と負の電極２５４とが互いに対向する辺に設けられる。
【０１３７】
このような構造の発電発光タイルユニット２５０において、各電極を図１９Ａに示されるように、ファスナの務歯形状とする。図１９Ａに示されるファスナ２６０の務歯２６１は、発電発光タイルユニット２５０−１の電極（正極または負極）であり、務歯２６２は、発電発光タイルユニット２５０−２の電極（正極または負極）である。このようにすることにより、図１９Ａに示されるように、発電発光タイルユニット２５０−１と、発電発光タイルユニット２５０−２は、スライダ２６３によって容易に連結することができる。
【０１３８】
この場合、発電発光タイルユニット２５０は、直列に（正極と負極とを）接続することもできるし、並列に（正極同士、若しくは、負極同士を）接続することもできる。
【０１３９】
例えば、図１９Ｂに示されるように、発電発光タイルユニット２５０−１乃至発電発光タイルユニット２５０−４をマトリクス状に連結することもできる。この例の場合、発電発光タイルユニット２５０−１と発電発光タイルユニット２５０−２、並びに、発電発光タイルユニット２５０−３と発電発光タイルユニット２５０−４とが直列に接続され、発電発光タイルユニット２５０−１と発電発光タイルユニット２５０−３、並びに、発電発光タイルユニット２５０−２と発電発光タイルユニット２５０−４とが並列に接続されている。
【０１４０】
この場合、発電発光タイルユニット２５０−１のDSSC１１２−１、発電発光タイルユニット２５０−２のDSSC１１２−２、発電発光タイルユニット２５０−３のDSSC１１２−３、および発電発光タイルユニット２５０−４のDSSC１１２−４は、図１９Ｃに示されるように、DSSC１１２−１とDSSC１１２−２、並びに、DSSC１１２−３とDSSC１１２−４とが直列に接続され、DSSC１１２−１とDSSC１１２−３、並びに、DSSC１１２−２とDSSC１１２−４とが並列に接続されている。
【０１４１】
このように、端子をファスナ状とすることにより、ユーザは、容易に、複数の発電発光タイルユニット２５０（DSSC１１２）を任意に連結させることができる。
【０１４２】
なお、発電発光タイルユニット２５０の正負の電極の形状は任意であり、上述したファスナ２６０状でなくてもよい。例えば図２０Ａに示されるように、球状の凹凸形状を有するようにしてもよい。
【０１４３】
図２０Ａの例においては、正極端子２７１が球状の凸型に形成され、負極端子２７２が球状の凹型に形成される。
【０１４４】
この正極端子２７１と負極端子２７２は、図２０Ｂに示されるように、矢印２８１および矢印２８２に示されるように互いに押しつけられると、球状の凹凸部が嵌合し、発電発光タイルユニット２５０が連結される。
【０１４５】
この状態において、正極端子２７１と負極端子２７２は、矢印２８３および矢印２８４に示されるように動かすことができる。これにより、発電発光タイルユニット２５０は、平面的な連結だけでなく、立体的な連結も可能になる。
【０１４６】
なお、図２０Ｂに示されるように嵌合された状態から、正極端子２７１と負極端子２７２を、矢印２８５および矢印２８６に示されるように、互いに引き離す方向に引っ張ると、図２０Ａに示されるように、嵌合されていた正極端子２７１と負極端子２７２が分離し、発電発光タイルユニット２５０同士の連結が解放される。
【０１４７】
また、図２０Ｃに示されるように、負極並列接続用部材２９１を用いることにより、負極同士を連結させることができる。また、正極並列接続用部材２９２を用いることにより、正極同士を連結させることができる。
【０１４８】
［連結の様子］
発電発光タイルユニット２５０を直列に連結する様子の例を図２１に示す。図２１Ａにおいては、発電発光タイルユニット２５０−１の負極端子２７２と、発電発光タイルユニット２５０−２の正極端子２７１とが、互いに直列に連結されている。この場合、発電発光タイルユニット２５０−１の負極端子２７２と、発電発光タイルユニット２５０−２の正極端子２７１は、図２０Ａに示されるように嵌合されている。
【０１４９】
なお、直列接続の両端の電極には、外部の他の装置と接続するための外部端子（外部端子２９３−１および外部端子２９３−２）を接続するようにしてもよい。
【０１５０】
この状態において、図２１Ｂに示されるように、発電発光タイルユニット２５０−１のDSSC１１２−１と発電発光タイルユニット２５０−２のDSSC１１２−２とが、直列に接続される。
【０１５１】
また、発電発光タイルユニット２５０を並列に連結する様子の例を図２２に示す。図２２Ａにおいては、発電発光タイルユニット２５０−１の負極端子２７２と、発電発光タイルユニット２５０−２の負極端子２７２とが、負極並列接続用部材２９１を用いて、互いに並列にに連結されている。
【０１５２】
この場合、発電発光タイルユニット２５０−１の負極端子２７２と、発電発光タイルユニット２５０−２の負極端子２７２は、図２０Ｃに示されるように、負極並列接続用部材２９１を介して連結されている。（両電極が負極並列接続用部材２９１と嵌合されている）。
【０１５３】
この状態において、図２２Ｂに示されるように、発電発光タイルユニット２５０−１のDSSC１１２−１と発電発光タイルユニット２５０−２のDSSC１１２−２とが、並列に接続される。
【０１５４】
さらに、発電発光タイルユニット２５０をマトリクス状に連結する様子の例を図２２に示す。図２３Ａの例においては、発電発光タイルユニット２５０−１と発電発光タイルユニット２５０−２とが、図２１の場合と同様に直列に接続されている。同様に、発電発光タイルユニット２５０−３と発電発光タイルユニット２５０−４とが、図２１の場合と同様に直列に接続されている。
【０１５５】
また、それと同時に、発電発光タイルユニット２５０−１と発電発光タイルユニット２５０−３とが、図２２の場合と同様に、負極並列接続用部材２９１を介して並列に接続されている。同様に、発電発光タイルユニット２５０−２と発電発光タイルユニット２５０−４とが、図２２の場合と同様に、負極並列接続用部材２９１を介して並列に接続されている。
【０１５６】
この状態において、図２３Ｂに示されるように、発電発光タイルユニット２５０−１のDSSC１１２−１と発電発光タイルユニット２５０−２のDSSC１１２−２とが直列に接続され、発電発光タイルユニット２５０−３のDSSC１１２−３と発電発光タイルユニット２５０−４のDSSC１１２−４とが直列に接続され、DSSC１１２−１とDSSC１１２−３とが並列に接続され、DSSC１１２−２とDSSC１１２−４とが並列に接続される。
【０１５７】
以上のように、発電発光タイルユニットの正極端子および負極端子を、球状の凹凸形状とすることにより、複数の発電発光タイルユニットをより容易に、並列若しくは直列に連結することができる。
【０１５８】
＜２．第２の実施の形態＞
［発電発光システム］
なお、発電発光タイルユニットが他の装置と通信を行うことができるようにしてもよい。例えば、発電発光タイルユニットが携帯電話機等の通信デバイスと無線通信を行うことができるようにしてもよい。また、例えば、発電発光タイルユニット同士で有線通信または無線通信を行うことができるようにしてもよい。
【０１５９】
図２４は、本発明を適用した発電発光システムの例を説明する図である。図２４に示される発電発光システム３００は、移動経路案内サーバ３０１と、通信デバイス３０２と、通路に敷き詰められた複数の発電発光タイルユニット３０３（発電発光タイルユニット３０３−１乃至発電発光タイルユニット３０３−５等）を有し、各発電発光タイルユニット３０３のLEDが発光することにより、通信デバイス３０２のユーザに対して目的地までの移動経路を案内するサービスを提供する。
【０１６０】
移動経路案内サーバ３０１は、地図情報と、各発電発光タイルユニット３０３の識別情報を記憶する。各発電発光タイルユニット３０３の識別情報と地図情報とが関連付けられ、個の情報から、各発電発光タイルユニット３０３がどの位置に設置されているかが識別可能とされている。
【０１６１】
通信デバイス３０２は、例えば携帯電話機等よりなり、移動経路案内のサービスを受けるユーザにより操作される。通信デバイス３０２は、移動経路案内サーバ３０１と例えば無線通信により通信することができる。また、通信デバイス３０２は、発電発光タイルユニット３０３と例えば無線通信により通信することができる。
【０１６２】
発電発光タイルユニット３０３は、自分自身の識別情報を記憶する。また、発電発光タイルユニット３０３は、通信デバイス３０２と例えば無線通信により通信することができる。さらに、発電発光タイルユニット３０３は、他の発電発光タイルユニット３０３と例えば無線通信により通信することができる。なお、発電発光タイルユニット３０３が、上述した発電発光タイルや発電発光タイルユニット等と同様に発電したり発光したりすることができることは言うまでも無い。
【０１６３】
目的地までの移動経路案内サービスの提供を望むユーザは、通信デバイス３０２を操作し、移動経路案内サーバ３０１と通信させ、目的地を示す情報を提供することにより、移動経路案内サービス提供の要求を行う。
【０１６４】
移動経路案内サーバ３０１は、提供された目的地を示す情報に基づいて、現在地からその目的地までの適切な経路を特定する。目的地までの経路が決定すると、移動経路案内サーバ３０１は、その経路上に設置される発電発光タイルユニット３０３の識別情報群を通信デバイス３０２に供給する。
【０１６５】
通信デバイス３０２は、そのユーザが居る位置に設置された発電発光タイルユニット３０３と通信を行い、移動経路案内サーバ３０１から取得した識別情報群を提供する。
【０１６６】
発電発光タイルユニット３０３は、供給された識別情報群に自分自身の識別情報が含まれる場合、LEDを所定時間発光させる。また、発電発光タイルユニット３０３は、供給された識別情報群を、隣に設置された発電発光タイルユニット３０３に伝送する。各発電発光タイルユニット３０３は、以上の処理を繰り返すことにより、識別情報群を各発電発光タイルユニット３０３に伝送する。
【０１６７】
このようにして、通路に敷き詰められた発電発光タイルユニット３０３のうち、現在地と目的地との間に位置する、移動経路案内サーバ３０１により指定された発電発光タイルユニット３０３が発光（点灯若しくは点滅）することにより、ユーザに対して目的地まで誘導する経路案内が提供される。
【０１６８】
［発電発光タイルユニット］
図２５は、この場合の発電発光タイルユニット３０３の主な構成例を示すブロック図である。
【０１６９】
図２５に示されるように、発電発光タイルユニット３０３は、１つの発電発光タイルユニット２００、制御部３２０、入力部３２１、出力部３２２、記憶部３２３、および通信部３２４を有する。
【０１７０】
制御部３２０は、上述したように他の例と同様に発電発光タイルユニット２００の発電や発光を制御する。また制御部３２０は、入力部３２１、出力部３２２、記憶部３２３、および通信部３２４を制御する。
【０１７１】
入力部３２１は、例えば、キーボード、マウス、ボタン、若しくはタッチパネルなどの任意の入力デバイスや入力端子等よりなり、ユーザや他の装置等の外部からの情報入力を受け付け、入力された情報を制御部３２０に提供する。
【０１７２】
出力部３２２は、CRTディスプレイ、LCD等のディスプレイ、スピーカ、若しくは出力端子などよりなり、制御部３２０から供給される情報を画像や音声としてユーザに提供したり、所定の信号として他の装置に出力したりする。
【０１７３】
記憶部３２３は、例えば、フラッシュメモリ等のSSDやハードディスクなどよりなり、制御部３２０から供給される情報や、発電発光タイルユニット３０３の識別情報を記憶したり、記憶している情報を制御部３２０に供給したりする。
【０１７４】
通信部３２４は、例えば、有線LAN（Local Area Network）や無線LANのインタフェースやモデムなどよりなり、インターネットを含むネットワークを介して他の装置との通信処理を行う。例えば、通信部３２４は、制御部３２０に制御され、通信デバイス３０２や他の発電発光タイルユニット３０３と通信したり、インターネットを含むネットワークを介してコンピュータプログラムを取得し、それを記憶部３２３にインストールしたりする。
【０１７５】
さらに、発電発光タイルユニット３０３には、ドライブ３２５が適宜接続される。ドライブ３２５には、例えば、磁気ディスク、光ディスク、光磁気ディスク、或いは半導体メモリなどのリムーバブルメディア３２６が適宜装着される。例えば、ドライブ３２５は、制御部３２０に制御され、そのリムーバブルメディア３２６からコンピュータプログラムを読み出し、それを記憶部３２３にインストールする。
【０１７６】
［通信デバイス］
図２６は、通信デバイス３０２の主な構成例を示すブロック図である。
【０１７７】
図２６において、通信デバイス３０２のCPU（Central Processing Unit）３５１は、ROM（Read Only Memory）３５２に記憶されているプログラム、または記憶部３６３からRAM（Random Access Memory）３５３にロードされたプログラムに従って各種の処理を実行する。RAM３５３にはまた、CPU３５１が各種の処理を実行する上において必要なデータなども適宜記憶される。
【０１７８】
CPU３５１、ROM３５２、およびRAM３５３は、バス３５４を介して相互に接続されている。このバス３５４にはまた、入出力インタフェース３６０も接続されている。
【０１７９】
入出力インタフェース３６０には、キーボード、マウスなどよりなる入力部３６１、CRTやLCDなどよりなるディスプレイ、並びにスピーカなどよりなる出力部３６２、ハードディスクなどより構成される記憶部３６３、有線や無線のLANインタフェースなどにより構成される通信部３６４が接続されている。通信部３６４は、インターネットを含むネットワークを介しての通信処理を行う。例えば、通信部３６４は、移動経路案内サーバ３０１や発電発光タイルユニット３０３と通信を行う。
【０１８０】
入出力インタフェース３６０にはまた、必要に応じてドライブ３６５が接続され、磁気ディスク、光ディスク、光磁気ディスク、或いは半導体メモリなどのリムーバブルメディア３６６が適宜装着され、それらから読み出されたコンピュータプログラムが、必要に応じて記憶部３６３にインストールされる。
【０１８１】
［移動経路案内サーバ］
図２７は、移動経路案内サーバ３０１の主な構成例を示すブロック図である。
【０１８２】
図２７に示されるように、移動経路案内サーバ３０１は、制御部３８０、入力部３８１、出力部３８２、記憶部３８３、通信部３８４、およびドライブ３８５を有する。
【０１８３】
制御部３８０は、移動経路案内サーバ３０１の各部の動作を制御する。また、制御部３８０は、移動経路案内サービスの提供に関する処理を実行する。
【０１８４】
入力部３８１は、例えば、キーボード、マウス、ボタン、若しくはタッチパネルなどの任意の入力デバイスや入力端子等よりなり、ユーザや他の装置等の外部からの情報入力を受け付け、入力された情報を制御部３８０に提供する。
【０１８５】
出力部３８２は、CRTディスプレイ、LCD等のディスプレイ、スピーカ、若しくは出力端子などよりなり、制御部３８０から供給される情報を画像や音声としてユーザに提供したり、所定の信号として他の装置に出力したりする。
【０１８６】
記憶部３８３は、例えば、フラッシュメモリ等のSSDやハードディスクなどよりなり、地図情報、発電発光タイルユニット３０３の識別情報、および、移動経路案内サービスの提供を実現するために実行されるプログラムやデータ等を記憶したり、記憶している情報を制御部３８０に供給したりする。
【０１８７】
通信部３８４は、例えば、有線LANや無線LANのインタフェースやモデムなどよりなり、インターネットを含むネットワークを介して他の装置との通信処理を行う。例えば、通信部３８４は、制御部３８０に制御され、通信デバイス３０２と通信したり、インターネットを含むネットワークを介してコンピュータプログラムを取得し、それを記憶部３８３にインストールしたりする。
【０１８８】
ドライブ３８５には、例えば、磁気ディスク、光ディスク、光磁気ディスク、或いは半導体メモリなどのリムーバブルメディア３８６が適宜装着される。例えば、ドライブ３８５は、制御部３８０に制御され、そのリムーバブルメディア３８６からコンピュータプログラムを読み出し、それを記憶部３８３にインストールする。
【０１８９】
［移動経路案内サービス］
以上のような構成の各装置が互いに通信を行うことにより、上述したように、ユーザに対して移動経路案内サービスが提供される。
【０１９０】
例えば図２８に示されるように、通路に発電発光タイルユニット３０３が敷き詰められているとする。ユーザ４０１が矢印４１１に示されるような経路の移動を所望し、通信デバイス３０２を操作すると、通信デバイス３０２には、移動経路案内サーバ３０１から、この矢印４１１に示される経路上に位置する発電発光タイルユニット３０３の識別情報群が提供される。
【０１９１】
通信デバイス３０２は、この識別情報群を、ユーザ４０１が位置する発電発光タイルユニット３０３である発電発光タイルユニット４２１に提供する。発電発光タイルユニット４２１は、供給された識別情報群に自分自身の識別情報が含まれているので、自ら発光する。それととともに、発電発光タイルユニット４２１は、その識別情報群を、近隣の他の発電発光タイルユニット３０３に提供する。
【０１９２】
このように識別情報群が伝搬され、その識別情報群により指定される、矢印４１１により示される経路上に設置された発電発光タイルユニット３０３がそれぞれ発光する。図２８の例の場合、発電発光タイルユニット４２１乃至発電発光タイルユニット４３１が発光する。
【０１９３】
このように発電発光タイルユニット３０３は、１つおきまたは複数おきに発光させるようにしてもよいし、経路上に並ぶ発電発光タイルユニット３０３を全て発光させるようにしてもよい。また、発光する発電発光タイルユニット３０３は、１列であってもよいし、複数列であってもよい。
【０１９４】
さらに、発光の色や明るさは任意である。また、それらが時間的に変化するようにしてもよい。さらに、点滅や、点灯および消灯等の発光パターンも任意であり、時間的に変化させるようにしてもよい。また、案内を受けるユーザ毎に、発光の色や明るさ、若しくは発光パターン等を変えるようにしてもよい。
【０１９５】
例えば、図２８において、矢印４１２に示されるような経路で進むユーザ４０２に対しては、発電発光タイルユニット４４１乃至発電発光タイルユニット４４５に示されるように、ユーザ４０１に対する移動経路案内の際の発電発光タイルユニット３０３の発光色とは異なる色で移動経路案内が行われるようにしてもよい。
【０１９６】
また、各発電発光タイルユニット３０３がユーザの位置を検出し、その検出結果を利用して、移動案内に不要な、移動案内を受けるユーザの位置より後ろ（目的地と反対側）の発電発光タイルユニット３０３は、消灯させるようにしてもよい。
【０１９７】
このように、発電発光タイルユニット３０３は、他の装置と通信を行うことにより、他の装置と連携して、センサによる検出結果の通知をより効率よく行うことができ、より多様な用途に利用することができる。
【０１９８】
［移動案内処理の流れ］
図２９のフローチャートを参照して移動案内処理の流れの例を説明する。移動案内処理が開始されると、ユーザが位置する発電発光タイルユニット３０３は、ステップＳ３４１において、通信デバイス３０２と通信を行い、自分自身の識別情報であるタイルIDを提供する。このタイルIDは、ユーザの現在位置を示す情報となる。
【０１９９】
通信デバイス３０２は、ステップＳ３２１において、そのタイルIDを取得すると、ステップＳ３２２において、通信デバイス３０２は、供給されたタイルIDとユーザが入力した目的地を示す情報とを移動経路案内サーバ３０１に提供する。
【０２００】
移動経路案内サーバ３０１は、ステップＳ３０１において、そのタイルIDと目的地を示す情報とを取得すると、ステップＳ３０２において、ユーザの現在位置から目的地までの移動経路を特定する。ステップＳ３０３において、移動経路案内サーバ３０１は、目的地までの移動経路上に位置する発電発光タイルを特定し、そのタイルID（タイルID群）を通信デバイス３０２に提供する。
【０２０１】
通信デバイス３０２は、ステップＳ３２３において、そのタイルID群を取得すると、ステップＳ３２４において、そのタイル群を、ユーザが位置する発電発光タイルユニット３０３に提供する。
【０２０２】
ユーザが位置する発電発光タイルユニット３０３は、ステップＳ３４２において、そのタイルID群を取得する。ステップＳ３４３において、ユーザが位置する発電発光タイルユニット３０３は、そのタイルID群を、他の発電発光タイルユニット３０３に提供する。
【０２０３】
タイルID群に自分自身の識別情報が含まれる場合、発電発光タイルユニット３０３は、ステップＳ３４４において、所定時間発光する。
【０２０４】
同様に、ユーザが位置する発電発光タイルユニット３０３の近隣の発電発光タイルユニット３０３は、ステップＳ３６１において、タイルID群を取得すると、ステップＳ３６２において、そのタイルID群を、他の発電発光タイルユニット３０３に提供し、タイルID群に自分自身の識別情報が含まれる場合、ステップＳ３６３において、所定時間発光する。
【０２０５】
このような処理が各発電発光タイルユニット３０３において実行され、タイルID群が伝送される。
【０２０６】
そして、タイルID群に自分自身の識別情報も含まれず、かつ、他に伝送すべき発電発光タイルユニット３０３が存在しない場合、発電発光タイルユニット３０３は、ステップＳ３８１において、他の発電発光タイルユニット３０３から供給されたタイルID群を取得し、処理を終了する。
【０２０７】
このように、発電発光タイルユニット３０３は、他の装置と通信を行うことにより、他の装置と連携して、センサによる検出結果の通知をより効率よく行うことができ、より多様な用途に利用することができる。
【０２０８】
なお、発電発光タイルユニット３０３は、発電素子としてDSSCを用いているので、屋内光により発電した電力でも十分に動作することができる。つまり、この移動経路案内サービスは、例えば、病院や公共施設等のような屋内において提供することができる。
【０２０９】
上述した一連の処理は、ハードウェアにより実行させることもできるし、ソフトウェアにより実行させることもできる。
【０２１０】
上述した一連の処理をソフトウェアにより実行させる場合には、そのソフトウェアを構成するプログラムが、ネットワークや記録媒体からインストールされる。
【０２１１】
この記録媒体は、例えば、図６に示されるように、装置本体とは別に、ユーザにプログラムを配信するために配布される、プログラムが記録されている磁気ディスク（フレキシブルディスクを含む）、光ディスク（CD-ROM（Compact Disc - Read Only Memory）,DVD（Digital Versatile Disc）を含む）、光磁気ディスク（MD（Mini Disc）を含む）、若しくは半導体メモリなどよりなるリムーバブルメディア１４６により構成されるだけでなく、装置本体に予め組み込まれた状態でユーザに配信される、プログラムが記録されている記憶部１４３に含まれるハードディスクなどにより構成される。
【０２１２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１３】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１４】
また、以上において、１つの装置（または処理部）として説明した構成が、複数の装置（または処理部）として構成されるようにしてもよい。逆に、以上において複数の装置（または処理部）として説明した構成が、まとめて１つの装置（または処理部）として構成されるようにしてもよい。また、各装置（または各処理部）の構成に上述した以外の構成が付加されるようにしてももちろんよい。さらに、システム全体としての構成や動作が実質的に同じであれば、ある装置（または処理部）の構成の一部が他の装置（または他の処理部）の構成に含まれるようにしてもよい。つまり、本発明の実施の形態は、上述した実施の形態に限定されるものではなく、本発明の要旨を逸脱しない範囲において種々の変更が可能である。
【符号の説明】
【０２１５】
１００  発電発光タイル，  １１２  DSSC，  １１３  LED，  １１４  蓄電部，  １４０  制御部，  ２００  発電発光タイルユニット，  ２１０  発電発光システム，  ２２０  制御部，  ２５０  発電発光タイルユニット，  ２６０  ファスナ，  ２７１  正極端子，  ２７２  負極端子，  ３００  発電発光システム，  ３０１  移動経路案内サーバ，  ３０２  通信デバイス，  ３０３  発電発光タイルユニット，  ３２４  通信部
【図１】
2012022948.tif 000003
【図２】
2012022948.tif 000004
【図３】
2012022948.tif 000005
【図４】
2012022948.tif 000006
【図５】
2012022948.tif 000007
【図６】
2012022948.tif 000008
【図７】
2012022948.tif 000009
【図８】
2012022948.tif 000010
【図９】
2012022948.tif 000011
【図１０】
2012022948.tif 000012
【図１１】
2012022948.tif 000013
【図１２】
2012022948.tif 000014
【図１３】
2012022948.tif 000015
【図１４】
2012022948.tif 000016
【図１５】
2012022948.tif 000017
【図１６】
2012022948.tif 000018
【図１７】
2012022948.tif 000019
【図１８】
2012022948.tif 000020
【図１９】
2012022948.tif 000021
【図２０】
2012022948.tif 000022
【図２１】
2012022948.tif 000023
【図２２】
2012022948.tif 000024
【図２３】
2012022948.tif 000025
【図２４】
2012022948.tif 000026
【図２５】
2012022948.tif 000027
【図２６】
2012022948.tif 000028
【図２７】
2012022948.tif 000029
【図２８】
2012022948.tif 000030
【図２９】
2012022948.tif 000031